(57)【特許請求の範囲】
【請求項１】
小型電器機器を充電器に設置し、充電器に設けた電気接続部材に小型電器機器の接続端子を当接させて小型電器機器の充電を行う小型電器機器の充電器への保持構造において、
前記充電器の電気接続部材に磁石を設けると共に、前記小型電器機器の接続端子を、前記充電器の磁石に吸着される磁性体から構成し、
前記充電器の電気接続部材を所定間隔をおいて複数配設し、これら複数の電気接続部材のうちの両端に配置した電気接続部材に磁石を設け、
前記両端の電気接続部材に対向する小型電器機器の接続端子に、充電器の磁石に吸着される磁石を設け、
前記小型電器機器の接続端子の一方に設けた磁石における電気接続部材側の第１の磁極と、この磁石に対向する充電器の磁石における小型電器機器側の第２の磁極とを互いに引きつけ合う異極に設定し、
前記小型電器機器の接続端子の他方に設けた磁石における電気接続部材側の第３の磁極と、この磁石に対向する充電器の磁石における小型電器機器側の第４の磁極とを互いに引きつけ合う異極に設定し、
さらに、前記第１の磁極と第４の磁極とを同極とし、第２の磁極と第３の磁極とを同極に設定したことを特徴とする小型電器機器の充電器への保持構造。
【請求項２】
前記充電器の電気接続部材における小型電器機器の接続端子との当接部の背面側に、前記磁石を配設したことを特徴とする請求項１に記載の小型電器機器の充電器への保持構造。
【発明の詳細な説明】
【技術分野】
【０００１】
本発明は、小型電器機器の充電器への保持構造に関する。
【背景技術】
【０００２】
従来から、小型電器機器の一つである電気かみそりを充電する場合は、電気かみそりを上下反対に配置して、上部を充電器に形成された凹部内に収容し、電気かみそり側の端子ピンを充電器側の接点金具に電気的に接続して行っている（例えば、特許文献１参照）。
【０００３】
この特許文献１に記載された電気かみそりにおいては、前記端子と接点金具との接触不良を防止するために、充電器側に磁石を配設し、電気かみそり側に金属を配設することによって、電気かみそりを充電器側に引きつける方法が採用されている。
【特許文献１】特開２００８−１８１２８公報
【発明の開示】
【発明が解決しようとする課題】
【０００４】
ところで、前記背景技術によれば、前記端子と接点金具との電気的接続を行う部位と、電気かみそりを充電器側に引きつける部位とが異なっていたため、前記端子と接点金具との電気的接続を確実に行うには、磁力の強い大きな磁石を用いることが必要であるという問題があった。
【０００５】
そこで、本発明は、小さい磁石でも端子と接点金具との電気的接続を確実に行うことができる小型電器機器の充電器への保持構造を提供することを目的とする。
【課題を解決するための手段】
【０００６】
前記課題を解決するため、本発明に係る小型電器機器の充電器への保持構造は、小型電器機器を充電器に設置し、充電器に設けた電気接続部材に小型電器機器の接続端子を当接させて小型電器機器の充電を行う小型電器機器の充電器への保持構造において、前記充電器の電気接続部材に磁石を設けると共に、前記小型電器機器の接続端子を、前記充電器の磁石に吸着される磁性体から構成し、前記充電器の電気接続部材を所定間隔をおいて複数配設し、これら複数の電気接続部材のうちの両端に配置した電気接続部材に磁石を設け、前記両端の電気接続部材に対向する小型電器機器の接続端子に、充電器の磁石に吸着される磁石を設け、前記小型電器機器の接続端子の一方に設けた磁石における電気接続部材側の第１の磁極と、この磁石に対向する充電器の磁石における小型電器機器側の第２の磁極とを互いに引きつけ合う異極に設定し、前記小型電器機器の接続端子の他方に設けた磁石における電気接続部材側の第３の磁極と、この磁石に対向する充電器の磁石における小型電器機器側の第４の磁極とを互いに引きつけ合う異極に設定し、さらに、前記第１の磁極と第４の磁極とを同極とし、第２の磁極と第３の磁極とを同極に設定したことを特徴とする。
【発明の効果】
【０００７】
本発明に係る小型電器機器の充電器への保持構造によれば、前記小型電器機器の接続端子を、前記充電器の磁石に吸着される磁性体から構成したため、小さい磁石でも小型電器機器を充電器に確実に保持させることができ、小型電器機器の接続端子と充電器の電気接続部材とを確実に電気的に接続させることができると共に、これに従って、充電器の小型化を図ることができる。
【発明を実施するための最良の形態】
【０００８】
以下、本発明を適用した具体的な実施の形態について図面を参照しながら詳細に説明する。
【０００９】
図１は本発明の実施形態による電気かみそりを洗浄充電器に設置した状態を示す断面図、図２は本発明の実施形態による洗浄充電器を示す斜視図、図３は図２の要部を拡大した断面図、図４は洗浄充電器に設けられた接点金具、磁石、及び接点金具取付基台を示す斜視図、及び、図５は図１のＡ−Ａ線による断面図である。
【００１０】
図１及び図２に示すように、本実施形態による洗浄充電器（充電器）１は、電気かみそり（小型電器機器）３の刃部５を洗浄すると共に電気かみそり３に充電を行うものであり、内方に凹部７が形成され、該凹部７の上部が平面視略矩形状の電気かみそり投入口９に形成されている。洗浄充電器１の縦壁面１１には、接点金具（電器接続部材）１３が左右に所定間隔をおいて３箇所配設されており、接点金具１３の背面には、磁石Ｍが取り付けられている。
【００１１】
また、図１に示す電気かみそり３は、上下を反対にして洗浄充電器１の凹部７内に投入した状態を示しており、下側に配置された刃部５が図示しない洗浄部によって洗浄される。
【００１２】
電気かみそり３の背面１５における長手方向中央部には、背面側に突出する接続端子１８が設けられている。該接続端子１８は、鉄製部材等の磁性体から構成されているが、後述するように磁石Ｍから構成しても良い。
【００１３】
電気かみそり３を洗浄充電器１の凹部７内に挿入して設置すると、電気かみそり３の接続端子１８が洗浄充電器１の接点金具１３に当接して電気的に接続され、電気かみそり３が充電される。
【００１４】
図３及び図４に示すように、本実施形態による接点金具１３は、接点金具取付基台１７に取り付けられる。接点金具１３は、洗浄充電器１の凹部７の内方に突出して電気かみそり３の接続端子１８に当接する当接部１９と、該当接部１９から下方に延設される変位部２１と、該変位部２１の下端で屈曲する屈曲部２３と、該屈曲部２３から上方に延設される装着部２５とから一体形成されている。前記当接部１９は、外周が覆われており、当接部１９内に磁石が収納配置されている。この磁石は、具体的には、図４の左側に配置された磁石Ｍ２と右側に配置された磁石Ｍ４とからなる。また、後述するように、磁石Ｍ２の表面Ｍ２ａの磁極はＳ極に設定され、裏面Ｍ２ｂの磁極はＮ極に設定されている。磁石Ｍ４の表面Ｍ４ａの磁極はＮ極に設定され、裏面Ｍ４ｂはＳ極に設定されている。
【００１５】
一方、図４に示すように、接点金具取付基台１７の正面には、左右に所定間隔をおいて突設部２７が３箇所形成されている。前記接点金具１３は、接点金具取付基台１７を正面２９及び裏面３１から挟むように配設されている。そして、接点金具取付基台１７に接点金具１３を装着した状態では、図３に示すように、装着部２５が接点金具取付基台１７の裏面３１に当接し、屈曲部２３が接点金具取付基台１７の下端面３３に当接している。
【００１６】
次に、図５を用いて、電気かみそり３の接続端子１８に設けた磁石Ｍ１，Ｍ３、及び洗浄充電器１の接続金具１３に設けた磁石Ｍ２，Ｍ４の磁極について簡単に説明する。
【００１７】
電気かみそり３の背面１５には、左右に一対の接続端子１８が配設されており、それぞれ磁石Ｍ１，Ｍ３から構成されている。洗浄充電器１には、左右方向に沿って３箇所の接点金具１３が配設されており、両端側の接点金具１３，１３には、磁石Ｍ２，Ｍ４が配設されている。磁石Ｍ１は磁石Ｍ２に対向配置され、磁石Ｍ３は磁石Ｍ４に対向配置されている。そして、磁石Ｍ１における磁極ＭＰ１は、Ｎ極に設定され、磁石Ｍ２における磁極ＭＰ２は、Ｓ極に設定されている。また、磁石Ｍ３における磁極ＭＰ３は、Ｓ極に設定され、磁石Ｍ４における磁極ＭＰ４は、Ｎ極に設定されている。このように、接続端子１８の一方に設けた磁石Ｍ１における接点金具側の第１の磁極ＭＰ１と、この磁石Ｍ１に対向する洗浄充電器１の磁石Ｍ２における電気かみそり側の第２の磁極ＭＰ２とを互いに引きつけ合う異極に設定し、接続端子１８の他方に設けた磁石Ｍ３における接点金具側の第３の磁極ＭＰ３と、この磁石Ｍ３に対向する洗浄充電器１の磁石Ｍ４における電気かみそり側の第４の磁極ＭＰ４とを互いに引きつけ合う異極に設定し、さらに、前記第１の磁極ＭＰ１と第４の極ＭＰ４とを同極とし、第２の磁極ＭＰ２と第３の磁極ＭＰ３とを同極に設定している。
【００１８】
以下に、本発明の実施形態による作用効果を説明する。
【００１９】
前記洗浄充電器（充電器）１の接点金具（電気接続部材）１３における電気かみそり（小型電器機器）３の接続端子１８との当接部１９の背面側に磁石Ｍを配設している。従って、磁石Ｍを接続端子１８に取り付ける際の作業性が高くなる。
【００２０】
前記洗浄充電器１の接点金具１３を所定間隔をおいて３つ配設し、これらの接点金具１３のうちの両端に配置した接点金具１３，１３に磁石Ｍ，Ｍを設けている。このため、電気かみそり３を洗浄充電器１に設置したときの安定性が高くなる。また、１つの磁石で吸着させるよりも２つの磁石で吸着させた方が、電気かみそり３を安定させるために総量の磁石量が少なくてすむ。
【００２１】
前記両端の接点金具１３に対向する電気かみそり３の接続端子１８，１８に、洗浄充電器１の磁石Ｍ，Ｍに吸着される磁石Ｍ，Ｍを設けている。従って、洗浄充電器１に磁石を配設し、電気かみそり３に磁性体である金属を配設する場合に比較して、吸着力が大幅に向上するため、磁石Ｍの量の低減及びコスト低減を図ることができる。
【００２２】
前記電気かみそり３の接続端子１８の一方に設けた磁石Ｍ１における接点金具側の第１の磁極ＭＰ１と、この磁石Ｍ１に対向する洗浄充電器１の磁石Ｍ２における電気かみそり側の第２の磁極ＭＰ２とを互いに引きつけ合う異極に設定し、前記電気かみそり３の接続端子１８の他方に設けた磁石Ｍ３における接点金具側の第３の磁極ＭＰ３と、この磁石Ｍ３に対向する洗浄充電器１の磁石Ｍ４における電気かみそり側の第４の磁極ＭＰ４とを互いに引きつけ合う異極に設定し、さらに、前記第１の磁極ＭＰ１と第４の磁極ＭＰ４とを同極とし、第２の磁極ＭＰ２と第３の磁極ＭＰ３とを同極に設定している。
【００２３】
従って、電気かみそり３を洗浄充電器１の凹部７に挿入する際に左右にずれてしまった場合、第１の磁極ＭＰ１と第４の磁極ＭＰ４とが反発し、又は、第３の磁極ＭＰ３と第２の磁極ＭＰ２とが反発するため、電気かみそり３は正規位置に移動して戻るため、位置ずれを容易に防止することができる。
【図面の簡単な説明】
【００２４】
【図１】本発明の実施形態による電気かみそりを洗浄充電器に設置した状態を示す断面図である。
【図２】本発明の実施形態による洗浄充電器を示す斜視図である。
【図３】図２の要部を拡大した断面図である。
【図４】洗浄充電器に設けられた接点金具、磁石、及び接点金具取付基台を示す斜視図である。
【図５】図１のＡ−Ａ線による断面図である。
【符号の説明】
【００２５】
１…洗浄充電器（充電器）
３…電器かみそり（小型電器機器）
５…刃部
７…凹部
９…電器かみそり投入口
１１…縦壁面
１３…接点金具（電器接続部材）
１５…背面
１７…接点金具取付基台
１８…接続端子
１９…当接部
２１…変位部
２３…屈曲部
２５…装着部
２７…突設部
２９…正面
３１…裏面
３３…下端面
【図１】
0005117904.tif 000002
【図２】
0005117904.tif 000003
【図３】
0005117904.tif 000004
【図４】
0005117904.tif 000005
【図５】
0005117904.tif 000006